(57)【要約】【課題】広告・宣伝用卓上幟旗に支持棒の挿通孔の形成が容易にでき、挿通孔に支持棒を挿通する作業が容易で、表裏面に印刷ができる。【解決手段】シート片１０の少なくとも一辺に複数の突出片部１３を一体に突出形成し、この各突出片部１３に支持棒１６，１７を挿通する円形孔１５ａの挿通部１５をそれぞれ形成する。【選択図】　　　　図１
2004037969.tif 000002
【特許請求の範囲】
【請求項１】
シート片の少なくとも一辺に複数の突出片部を一体に突出形成し、
この各突出片部に支持棒を挿通する挿通部をそれぞれ形成した
ことを特徴とする広告・宣伝用卓上幟旗。
【請求項２】
シート片に形成した各突出片部の挿通部は、円形孔としたことを特徴とする請求項１記載の広告・宣伝用卓上幟旗。
【請求項３】
シート片に形成した各突出片部の挿通部は、円形輪郭内の中央部に設けた支持棒の差し込み方向と直交した抑え部とこの抑え部を挟んで前記円形輪郭内の両側部に開口した一対の半円形孔とにて形成したことを特徴とする請求項１記載の広告・宣伝用卓上幟旗。
【請求項４】
シート片に形成した各突出片部の挿通部は、支持棒の差し込み方向と直交して形成した抑え部とこの抑え部の両側縁に沿った一対の切り溝とにて形成したことを特徴とする請求項１記載の広告・宣伝用卓上幟旗。
【発明の詳細な説明】
【０００１】
【発明の属する技術分野】
本発明は、幟またはフラッグといわれる卓上用として適した広告・宣伝用卓上幟旗に関する。
【０００２】
【従来の技術】
従来のこの種卓上用の広告・宣伝用幟旗は、図６に示すように、加工布１の上辺２及び一側辺３に、チチ輪といわれる支持棒４の挿通部５を形成する布製テープ片６を貼着するなどの構造が採られていた。
【０００３】
この従来の広告・宣伝用幟旗は、加工布１の二辺にそれぞれを複数のチチ輪を形成する布製テープ片６を貼着する作業が必要であり、さらに、この挿通部５に支持棒４を挿通する作業、また、加工布のため解れが生じないように、加工布の切断縁を熱による解れ防止処工を必要としていた。
【０００４】
また、加工布にはシルク印刷などによって印刷ができるが、従来のシルク印刷などでは細部の再現性に問題があり、ほとんどが文字を中心とするものであり、また、再現性を高めるには、予め転写紙に印刷し、この転写紙に印刷したものを加工布に転写する方法も採られているが、印刷に工数が掛かり、さらに、これらの印刷は、加工布の片面のみの印刷となり情報量が制約されていた。
【０００５】
この加工布１に布製テープ片６を貼着して支持棒４の挿通部５を形成した広告・宣伝用幟旗では、加工布の加工処理、支持棒４の挿通、加工布の解れ防止など手数が掛かり、大量の短期納入の受注に問題があり、また、シルク印刷で細部の再現性、片面印刷に限られるなどの問題があった。
【０００６】
そこで、例えば、特開２００１−５４１８号公報に記載されているように、チチ輪を用いずに、布地の一辺縁に沿って支持棒を挿通させる２条平行の溝状挿通部を溶断加工するようにした幟旗が提案されているが、この公報に記載された構成の幟旗では、布地に形成する挿通孔は、直線状で溶断によって孔の周縁を熱処理などで解れ防止処理が必要であり、また、支持棒を挿通部に挿通するには、挿通部を開きながら支持棒を挿通する作業が必要となり、印刷面も一面に限られるなどの問題があった。
【０００７】
【発明が解決しようとする課題】
上記従来のチチ輪をテープにて形成した幟旗では、手作業が多く、コストの低減の支障となり、また、上記公報に記載の幟旗でも、支持棒の挿通部の加工処理に手数が掛かり、さらに、いずれの幟旗も布地にて形成したため、印刷は片面に限られる問題があった。
【０００８】
本発明は上記問題点に鑑みなされたもので、支持棒に支持されたシート片はチチ輪にて支持されたように見え、支持棒の挿通部の形成及び挿通部に支持棒を挿通する作業が容易にでき、表裏面に印刷のできる広告・宣伝用幟旗を提供するものである。
【０００９】
【課題を解決するための手段】
請求項１記載の発明の広告・宣伝用卓上幟旗は、シート片の少なくとも一辺に複数の突出片部を一体に突出形成し、この各突出片部に支持棒を挿通する挿通部をそれぞれ形成したものである。
【００１０】
そして、シート片に形成した突出片部に挿通部を形成するのみで、型抜きで容易に製造でき、突出片部がチチ輪に模され、外観意匠性が向上される。
【００１１】
請求項２記載の発明の広告・宣伝用卓上幟旗は、請求項１記載の広告・宣伝用卓上幟旗において、シート片に形成した各突出片部の挿通部を円形孔としたものである。
【００１２】
そして、支持棒を挿通部に挿通する場合、挿通部は円形孔に形成したので、支持棒の挿通が簡単にできる。
【００１３】
請求項３記載の発明の広告・宣伝用卓上幟旗は、請求項１記載の広告・宣伝用卓上幟旗において、シート片に形成した各突出片部の挿通部を、円形輪郭内の中央部に設けた支持棒の差し込み方向と直交した抑え部とこの抑え部を挟んで前記円形輪郭内の両側部に開口した一対の半円形孔とにて形成したものである。
【００１４】
そして、シート片に形成した各突出片部の抑え部の両側に開口している一対の半円形孔に支持棒を挿通することによりシート片に捩れが生じることがなく、また、半円形孔に開口されているので支持棒の挿通も比較的容易にできる。
【００１５】
請求項４記載の発明の広告・宣伝用卓上幟旗は、請求項１記載の広告・宣伝用卓上幟旗において、シート片に形成した各突出片部の挿通部を、支持棒の差し込み方向と直交して形成した抑え部とこの抑え部の両側縁に沿った一対の切り溝とにて形成したものである。
【００１６】
そして、シート片に形成した各突出片部の抑え部の両側に開口している一対の切り溝に支持棒を挿通することによりシート片に捩れが生じることがなく、また、挿通部は切り溝のため形成が容易にできる。
【００１７】
【発明の実施の形態】
次に、本発明の広告・宣伝用卓上幟旗の一実施の形態を図１に基いて説明する。
【００１８】
シート片１０は特殊合成紙（例えば、商標ユポ　株式会社ユポ・コーポレーション製、商品名クリスパーコート　北越製紙株式会社製、商標クリスパー　東洋紡績株式会社製など）にて矩形形状に成形され、このシート片１０の上辺１１及び一側辺１２には間隔をおいて複数の矩形形状の突出片部１３を一体に突出形成し、この各突出片部１３には支持棒１６，１７を挿通する円形孔１５ａの挿通部１５をそれぞれ形成する。
【００１９】
そして、このシート片１０と突出片部１３及び挿通部１５は同時に一体に型抜き成形する。
【００２０】
このシート片１０には予め両面に文字、図形などが印刷されている。
【００２１】
次に、この実施の形態の作用を説明する。
【００２２】
文字、図形などが印刷された合成紙からシート片１０と同時に突出片部１３及び挿通部１５を一体に型抜き成形することにより、製造が容易にできる。
【００２３】
また、図１に示すように、シート片１０の一側辺１２に突出した突出片部１３に開口されている円形孔１５ａの挿通部１５に垂直方向の支持棒１６を例えば前面側から裏面側に順次に挿通し、次いで、シート片１０の上辺１１に突出した突出片部１３に開口されている円形孔１５ａの挿通部１５に横方向の支持棒１７を順次に挿通する。この場合、例えば、一方の突出片部１３に開口されている挿通部１５の円形孔１５ａには裏面側から前面側に、他方の突出片部１３に開口されている挿通部１５の円形孔１５ａには前面側から裏面側に挿通することによりシート片１０の捩れが少なくなる。
【００２４】
そして、この横方向の支持棒１７を垂直方向の支持棒１６の上部に形成した係合孔に挿脱自在に挿通する。
【００２５】
この状態で、シート片１０の直交方向の上辺１１とこの上辺１１と直交方向の一側辺１２とにそれぞれ突出した突出片部１３の各挿通部１５に支持棒１６，１７に挿通されたシート片１０は抜け外れが防止される。
【００２６】
このシート片１０の直交方向の上辺１１と一側辺１２とにそれぞれ突出した突出片部１３の各挿通部１５に支持棒１６，１７を挿通するときには、シート片１０の直交方向の上辺１１と一側辺１２とにそれぞれ突出した突出片部１３の各挿通部１５は円形孔１５ａのため、従来のチチ輪のように挿通部を広げる作業が必要なく、容易に挿通できる。
【００２７】
なお、シート片１０に突出した突出片部１３に形成した各挿通部１５の円形孔１５ａの孔径は支持棒１６，１７の２倍以内とすることが好ましい。
【００２８】
なお、垂直方向の支持棒１６の下端には、図示しない支持台が取り付けられる。
【００２９】
次に、他の実施の形態を図２に基いて説明する。
【００３０】
この実施の形態は、図１に示す実施の形態において、シート片１０に形成した各突出片部１３に形成した挿通部１５の形状を変えた構成で、他の構成は図１に示す構成と同一である。
【００３１】
この実施の形態のシート片１０に形成した各突出片部１３は、円形輪郭内の中央部に設けた支持棒１６，１７の差し込み方向と直交した抑え部２０とこの抑え部２０を挟んで前記円形輪郭内の両側部に開口した一対の半円形孔２１とにて形成したものである。
【００３２】
この実施の形態では、図２に示すように、垂直方向の支持棒１６をシート片１０の一側辺１２に突出した各突出片部１３に形成されている挿通部１５の一方の半円形孔２１に前面側から裏面側に挿通し、抑え部２０の裏面側に添わせ、さらに、他方の半円形孔２１の裏面側から前面側に挿通することにより、各突出片部１３の挿通部１５に順次挿通する。
【００３３】
次いで、横方向の支持棒１７をシート片１０の上辺１１に突出した各突出片部１３に形成されている挿通部１５に形成した一方の半円形孔２１の表面側から裏面側に挿通し、抑え部２０の裏面側に添わせ、さらに、他方の半円形孔２１の裏面側から前面側に挿通することにより、各突出片部１３の挿通部１５に順次挿通する。
【００３４】
この実施の形態では、シート片１０に形成した各突出片部１３の抑え部２０の両側に開口している一対の半円形孔２１に支持棒１６，１７を挿通することによりシート片１０に捩れが生じることがなく、また、半円形孔２１に開口されているので、支持棒１６，１７の挿通も比較的容易にできる。
【００３５】
この実施の形態の他の作用は図１に示す実施の形態と同一である。
【００３６】
次に、他の実施の形態を図３に基いて説明する。
【００３７】
この図３に示す実施の形態は、図１に示す実施の形態において、シート片１０に形成した各突出片部１３に形成した挿通部１５の形状を変えた構成で、他の構成は図１に示す構成と同一である。
【００３８】
この実施の形態では、図３に示すように、シート片１０に形成した各突出片部１３の挿通部１５を、支持棒１６，１７の差し込み方向と直交して形成した抑え部２０とこの抑え部２０の両側縁に沿った一対の切り溝２２とにて形成したものである。
【００３９】
そして、シート片１０に形成した各突出片部１３の抑え部２０の両側に開口している一対の切り溝２２に支持棒１６，１７を挿通することによりシート片１０に捩れが生じることがなく、また、挿通部１５は切り溝２２のため形成が容易にできる。
【００４０】
そして、この実施の形態では、垂直方向の支持棒１６をシート片１０の一側辺１２に突出した各突出片部１３に形成されている挿通部１５の一方の切り溝２２に前面側から裏面側に挿通し、抑え部２０の裏面側に添わせ、さらに、他方の切り溝２２の裏面側から前面側に挿通することにより、各突出片部１３の挿通部１５に順次挿通する。次いで、横方向の支持棒１７をシート片１０の上辺１１に突出した各突出片部１３に形成されている挿通部１５に形成した一方の切り溝２２の表面側から裏面側に挿通し、抑え部２０の裏面側に添わせ、さらに、他方の切り溝２２の裏面側から前面側に挿通することにより、各突出片部１３の挿通部１５に順次挿通する。
【００４１】
この、実施の形態では、シート片１０に形成した各突出片部１３の抑え部２０の両側の切り溝２２に支持棒１６，１７を挿通することによりシート片１０に捩れが生じることがなく、また、挿通部１５は切り溝２２のため形成が容易にできる。
【００４２】
さらに、他の実施の形態を図４に基づいて説明する。
【００４３】
この実施の形態では、合成紙にて矩形形状に成形されたシート片１０の上辺１１に間隔をおいて複数の矩形形状の突出片部１３を一体に突出形成し、この各突出片部１３には支持棒１７を挿通する挿通部１５をそれぞれ形成した構成で、他の構成は、図１に示す実施の形態と同一である。また、各突出片部１３の挿通部１５の構成は、図１ないし図３に示す適宜の構成を採ることができる。
【００４４】
そして、この実施の形態では、シート片１０の上辺１１に突出した突出片部１３に開口されている挿通孔１５を横方向の支持棒１７に順次に挿通する。
【００４５】
そして、この支持棒１７は支柱１８の上部に貫通固定され、この支持棒１７の両端側からそれぞれシート片１０を取り付けられるようになっている。なお、この支持棒１７の両端部には球状の抜け止め部１９が形成されている。
【００４６】
また、図５に示すように、支持棒１７は支柱１８と一体的に折り曲げ形成した構成でもよく、支持棒は適宜の構成とすることができる。
【００４７】
また、図５に示すように、支持棒１７には、複数のシート片１０を取り付けることができる。
【００４８】
また、図１ないし図５に示すシート片１０は合成紙に限られるものではなく、紙、布、ビニール樹脂シート、ポリエチレン樹脂シート、ポリエステル樹脂などを用いることもできる。
【００４９】
【発明の効果】
請求項１記載の発明によれば、シート片に形成した突出片部に挿通部を形成するのみで、型抜きで容易に製造でき、突出片部がチチ輪に模され、また、支持棒はシート片の縁辺から離反した位置で支持棒に支持されるため、幟旗が風にはためく印象が与えられ、外観意匠性が向上される。
【００５０】
請求項２記載の発明によれば、支持棒を挿通部に挿通する場合、挿通部は円形孔に形成したので、支持棒の挿通が簡単にできる。
【００５１】
請求項３記載の発明によれば、シート片に形成した各突出片部の抑え部の両側に開口している一対の半円形孔に支持棒を挿通することによりシート片に捩れが生じることがなく、また、半円形孔に開口されているので支持棒の挿通も比較的容易にできる。
【００５２】
請求項４記載の発明によれば、シート片に形成した各突出片部の抑え部の両側に開口している一対の切り溝に支持棒を挿通することによりシート片に捩れが生じることがなく、また、挿通部は切り溝のため形成が容易にできる。
【図面の簡単な説明】
【図１】本発明の一実施の形態を示す広告・宣伝用卓上幟旗の正面図である。
【図２】本発明の他の実施の形態を示す広告・宣伝用卓上幟旗の正面図である。
【図３】本発明のさらに他の実施の形態を示す広告・宣伝用卓上幟旗の正面図である。
【図４】本発明の他の実施の形態を示す広告・宣伝用卓上幟旗の正面図である。
【図５】本発明の他の実施の形態を示す広告・宣伝用卓上幟旗の正面図である。
【図６】従来の広告・宣伝用幟旗の正面図である。
【符号の説明】
１０　　シート片
１３　　突出片部
１５　　挿通部
１５ａ　　円形孔
１６，１７　　支持棒
２０　　抑え部
２１　　半円形孔
２２　　切り溝
【図１】
2004037969.tif 000003
【図２】
2004037969.tif 000004
【図３】
2004037969.tif 000005
【図４】
2004037969.tif 000006
【図５】
2004037969.tif 000007
【図６】
2004037969.tif 000008